(57)【要約】【課題】端末が無通信状態から通信状態へ遷移した後に直ぐにハンドオーバが発生することを低減することを図る。【解決手段】Active HOを実施した端末のセル内滞在時間情報およびセル履歴情報を用いて、Active HOの発生回数うち、端末が無通信状態から通信状態へ遷移した直後に行ったActive HOの発生回数の度合いを表す不要ハンドオーバ情報を生成する基地局内不要HO集計部１２と、接続基地局のActive HOマージン及びIdle HOマージン及び不要ハンドオーバ情報、並びに、隣接基地局のActive HOマージン及びIdle HOマージン及び不要ハンドオーバ情報、を用いて、接続基地局の不要ハンドオーバ情報の値を低減する接続基地局のIdle HOマージンを算出するIdle HOマージン計算部１３と、を備える。【選択図】図１
2013153275.tif 000002
【特許請求の範囲】
【請求項１】
端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整装置であり、
アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計部と、
接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算部と、
を備えたことを特徴とするハンドオーバパラメータ調整装置。
【請求項２】
前記マージン計算部は、接続基地局のアクティブ・ハンドオーバマージンが接続基地局のアイドル・ハンドオーバマージン以上であり、且つ、隣接基地局のアクティブ・ハンドオーバマージンと接続基地局のアイドル・ハンドオーバマージンの和が０以上となるように、接続基地局のアクティブ・ハンドオーバマージン又はアイドル・ハンドオーバマージンを決定する、
ことを特徴とする請求項１に記載のハンドオーバパラメータ調整装置。
【請求項３】
前記マージン計算部は、
所定の回数だけ連続して不要ハンドオーバ情報の値が所定の閾値未満である場合に、接続基地局のアイドル・ハンドオーバマージンを所定値だけ増加させ、
不要ハンドオーバ情報の値が所定の閾値以上である場合において、接続基地局のアクティブ・ハンドオーバマージンが接続基地局のアイドル・ハンドオーバマージン以上であり、且つ、隣接基地局のアクティブ・ハンドオーバマージンと接続基地局のアイドル・ハンドオーバマージンの和が０以上であるときに、接続基地局のアイドル・ハンドオーバマージンを所定値だけ減少させる、
ことを特徴とする請求項２に記載のハンドオーバパラメータ調整装置。
【請求項４】
前記マージン計算部は、
接続基地局のアイドル・ハンドオーバマージンを所定値だけ増加させる際には、接続基地局のアクティブ・ハンドオーバマージンを所定値だけ減少させ、
接続基地局のアイドル・ハンドオーバマージンを所定値だけ減少させる際には、接続基地局のアクティブ・ハンドオーバマージンを所定値だけ増加させる、
ことを特徴とする請求項３に記載のハンドオーバパラメータ調整装置。
【請求項５】
前記マージン計算部は、
接続基地局のアイドル・ハンドオーバマージン又はアクティブ・ハンドオーバマージンを変更しても、接続基地局のアクティブ・ハンドオーバマージンが接続基地局のアイドル・ハンドオーバマージン以下であり、又は、隣接基地局のアクティブ・ハンドオーバマージンと接続基地局のアイドル・ハンドオーバマージンの和が０以下である場合には、当該接続基地局のアイドル・ハンドオーバマージン又はアクティブ・ハンドオーバマージンの変更を取り消す、
ことを特徴とする請求項３又は４に記載のハンドオーバパラメータ調整装置。
【請求項６】
アクティブ・ハンドオーバを実施した端末から送信された隣接基地局の受信電力と接続基地局の受信電力を用いて、接続基地局のアクティブ・ハンドオーバマージンを算出するアクティブ・ハンドオーバマージン計算部を備えたことを特徴とする請求項１から５のいずれか１項に記載のハンドオーバパラメータ調整装置。
【請求項７】
前記アクティブ・ハンドオーバマージン計算部は、隣接基地局と接続基地局の受信電力差のサンプルを用いて、過去一定数のサンプルの平均値を算出するか、又は、過去全てのサンプルの平均値を算出するか、又は、重み付き平均値を算出する、
ことを特徴とする請求項６に記載のハンドオーバパラメータ調整装置。
【請求項８】
前記基地局内不要ハンドオーバ集計部は、アクティブ・ハンドオーバの発生回数うち、アクティブ・ハンドオーバを実施した端末が通信状態で接続基地局に滞在していた時間が所定の閾値未満であるアクティブ・ハンドオーバの発生回数の度合いを算出する、
ことを特徴とする請求項１から７のいずれか１項に記載のハンドオーバパラメータ調整装置。
【請求項９】
端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整方法であり、
アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計ステップと、
接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算ステップと、
を含むことを特徴とするハンドオーバパラメータ調整方法。
【請求項１０】
端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整処理を行うためのコンピュータプログラムであって、
アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計ステップと、
接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算ステップと、
をコンピュータに実行させるためのコンピュータプログラム。
【発明の詳細な説明】
【技術分野】
【０００１】
本発明は、ハンドオーバパラメータ調整装置、ハンドオーバパラメータ調整方法およびコンピュータプログラムに関する。
【背景技術】
【０００２】
近年、LTE（Long Term Evolution）システムと呼ばれるセルラー方式の無線通信システムが標準化団体の3GPP（3rd Generation Partnership Project）で検討されている。LTEシステムにおいて、端末が接続する基地局を切り替える動作であるハンドオーバ（Handover：HO）には、端末が通信状態である場合に実施される「アクティブ・ハンドオーバ（Active HO）」と、端末が無通信状態である場合に実施される「アイドル・ハンドオーバ（Idle HO）」とが規定されている。
【０００３】
Active HO は、基地局が端末から送信されたMR（Measurement Report）メッセージを受信することを契機として、基地局の主導で実施される。基地局は、MRメッセージを受信すると、MRメッセージを送信した端末に対してActive HO 処理を行うべきかを、MRメッセージに含まれる受信電力情報を用いて判断する。MRメッセージは以下の情報（１）、（２）を含む（非特許文献１参照）。
（１）端末が接続している基地局（接続基地局）から送信された参照信号の、端末における受信電力（Reference Signal Received Power：RSRP）、接続基地局から送信された参照信号の、端末における受信品質（Reference Signal Received Quality：RSRQ）
（２）接続基地局に隣接する基地局（隣接基地局）に関するRSRP、RSRQ
【０００４】
MRメッセージは送信契機の違いによって複数の種類が定義されている。Active HO の契機として使用されるMRメッセージには、「A3 MR」、「A4 MR」及び「A5 MR」の３種類がある。
【０００５】
「A3 MR」：隣接基地局に関するRSRP（RSRQ）値と接続基地局に関するRSRP（RSRQ）値との差が所定の閾値以上となった場合に、端末から送信される。
「A4 MR」：隣接基地局に関するRSRP（RSRQ）値が所定の閾値以上となった場合に、端末から送信される。
「A5 MR」：接続基地局に関するRSRP（RSRQ）値が所定の閾値以下となり、且つ隣接基地局に関するRSRP（RSRQ）値が所定の閾値以上となった場合に、端末から送信される。
【０００６】
Idle HO は、接続基地局から端末に通知されるIdle HO パラメータに基づいて端末の判断のみで実施される（非特許文献２参照）。Idle HO の実施条件は以下の式（１）で表される。
【０００７】
【数１】
2013153275.tif 000003
【０００８】
但し、RSRP(n, k, t) は、時刻tに端末kで測定された隣接基地局nに関するRSRP値である。RSRP(s, k, t) は、時刻tに端末kで測定された接続基地局sに関するRSRP値である。IHOM(s,n) は、接続基地局sから報知されている、隣接基地局n に対するオフセットパラメータである。以下、IHOM(s,n)のことをIdle HO マージンと称する。
【０００９】
なお、式（１）は、通信状態の端末に対しても適用することができる。以下、基地局がMRメッセージを受信した時のRSRP(n, k, t)とRSRP(s, k, t)との差をActive HO マージンと称し、AHOM(s,n)と表記する。
【先行技術文献】
【非特許文献】
【００１０】
【非特許文献１】3GPP, TS 36.331, v9.3.0, 2010-06
【非特許文献２】3GPP, TS 36.304, v9.2.0, 2010-03
【発明の概要】
【発明が解決しようとする課題】
【００１１】
Active HO のタイミングはＭＲメッセージの送信条件に係る閾値を変更することによって調整することができる。一方、Idle HO のタイミングは、Idle HO マージンIHOM(s,n)を変更することによって調整することができる。したがって、Active HO のタイミングとIdle HO のタイミングとは、独立に調整することができる。
【００１２】
しかしながら、そのActive HO のタイミングとIdle HO のタイミングとが独立に設定されること、及び端末の移動速度、移動方向に起因して、図６、図７に示されるように、端末が無通信状態から通信状態へ遷移した後に、直ぐにハンドオーバが発生してしまう可能性がある。このような不要なハンドオーバ処理を防止することが課題である。
【００１３】
本発明は、このような事情を考慮してなされたもので、端末が無通信状態から通信状態へ遷移した後に直ぐにハンドオーバが発生することを低減できるハンドオーバパラメータ調整装置、ハンドオーバパラメータ調整方法およびコンピュータプログラムを提供することを課題とする。
【課題を解決するための手段】
【００１４】
上記の課題を解決するために、本発明に係るハンドオーバパラメータ調整装置は、端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整装置であり、アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計部と、接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算部と、を備えたことを特徴とする。
【００１５】
本発明に係るハンドオーバパラメータ調整装置において、前記マージン計算部は、接続基地局のアクティブ・ハンドオーバマージンが接続基地局のアイドル・ハンドオーバマージン以上であり、且つ、隣接基地局のアクティブ・ハンドオーバマージンと接続基地局のアイドル・ハンドオーバマージンの和が０以上となるように、接続基地局のアクティブ・ハンドオーバマージン又はアイドル・ハンドオーバマージンを決定する、ことを特徴とする。
【００１６】
本発明に係るハンドオーバパラメータ調整装置において、前記マージン計算部は、所定の回数だけ連続して不要ハンドオーバ情報の値が所定の閾値未満である場合に、接続基地局のアイドル・ハンドオーバマージンを所定値だけ増加させ、不要ハンドオーバ情報の値が所定の閾値以上である場合において、接続基地局のアクティブ・ハンドオーバマージンが接続基地局のアイドル・ハンドオーバマージン以上であり、且つ、隣接基地局のアクティブ・ハンドオーバマージンと接続基地局のアイドル・ハンドオーバマージンの和が０以上であるときに、接続基地局のアイドル・ハンドオーバマージンを所定値だけ減少させる、ことを特徴とする。
【００１７】
本発明に係るハンドオーバパラメータ調整装置において、前記マージン計算部は、接続基地局のアイドル・ハンドオーバマージンを所定値だけ増加させる際には、接続基地局のアクティブ・ハンドオーバマージンを所定値だけ減少させ、接続基地局のアイドル・ハンドオーバマージンを所定値だけ減少させる際には、接続基地局のアクティブ・ハンドオーバマージンを所定値だけ増加させる、ことを特徴とする。
【００１８】
本発明に係るハンドオーバパラメータ調整装置において、前記マージン計算部は、接続基地局のアイドル・ハンドオーバマージン又はアクティブ・ハンドオーバマージンを変更しても、接続基地局のアクティブ・ハンドオーバマージンが接続基地局のアイドル・ハンドオーバマージン以下であり、又は、隣接基地局のアクティブ・ハンドオーバマージンと接続基地局のアイドル・ハンドオーバマージンの和が０以下である場合には、当該接続基地局のアイドル・ハンドオーバマージン又はアクティブ・ハンドオーバマージンの変更を取り消す、ことを特徴とする。
【００１９】
本発明に係るハンドオーバパラメータ調整装置においては、アクティブ・ハンドオーバを実施した端末から送信された隣接基地局の受信電力と接続基地局の受信電力を用いて、接続基地局のアクティブ・ハンドオーバマージンを算出するアクティブ・ハンドオーバマージン計算部を備えたことを特徴とする。
【００２０】
本発明に係るハンドオーバパラメータ調整装置において、前記アクティブ・ハンドオーバマージン計算部は、隣接基地局と接続基地局の受信電力差のサンプルを用いて、過去一定数のサンプルの平均値を算出するか、又は、過去全てのサンプルの平均値を算出するか、又は、重み付き平均値を算出する、ことを特徴とする。
【００２１】
本発明に係るハンドオーバパラメータ調整装置において、前記基地局内不要ハンドオーバ集計部は、アクティブ・ハンドオーバの発生回数うち、アクティブ・ハンドオーバを実施した端末が通信状態で接続基地局に滞在していた時間が所定の閾値未満であるアクティブ・ハンドオーバの発生回数の度合いを算出する、ことを特徴とする。
【００２２】
本発明に係るハンドオーバパラメータ調整方法は、端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整方法であり、アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計ステップと、接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算ステップと、を含むことを特徴とする。
【００２３】
本発明に係るコンピュータプログラムは、端末が通信状態である場合に隣接基地局と接続基地局の受信電力差であるアクティブ・ハンドオーバマージンに基づいて実施される接続基地局から隣接基地局へのハンドオーバであるアクティブ・ハンドオーバと、端末が無通信状態である場合に隣接基地局と接続基地局の受信電力差であるアイドル・ハンドオーバマージンに基づいて実施される接続基地局から隣接基地局へのハンドオーバであるアイドル・ハンドオーバとが規定されているセルラー方式の無線通信システムにおいて、アクティブ・ハンドオーバマージン及びアイドル・ハンドオーバマージンを決定するハンドオーバパラメータ調整処理を行うためのコンピュータプログラムであって、アクティブ・ハンドオーバを実施した端末のセル内滞在時間情報およびセル履歴情報を用いて、アクティブ・ハンドオーバの発生回数うち、端末が無通信状態から通信状態へ遷移した直後に行ったアクティブ・ハンドオーバの発生回数の度合いを表す不要ハンドオーバ情報を生成する基地局内不要ハンドオーバ集計ステップと、接続基地局のアクティブ・ハンドオーバマージン及びアイドル・ハンドオーバマージン及び不要ハンドオーバ情報、並びに、隣接基地局のアクティブ・ハンドオーバマージン及びアイドル・ハンドオーバマージン及び不要ハンドオーバ情報、を用いて、接続基地局の不要ハンドオーバ情報の値を低減する接続基地局のアクティブ・ハンドオーバマージン又はアイドル・ハンドオーバマージンを算出するマージン計算ステップと、をコンピュータに実行させるためのコンピュータプログラムであることを特徴とする。
これにより、前述のハンドオーバパラメータ調整装置がコンピュータを利用して実現できるようになる。
【発明の効果】
【００２４】
本発明によれば、端末が無通信状態から通信状態へ遷移した後に直ぐにハンドオーバが発生することを低減できるという効果が得られる。
【図面の簡単な説明】
【００２５】
【図１】本発明の第１実施形態に係るハンドオーバパラメータ調整装置１の構成を示すブロック図である。
【図２】本発明の第１実施形態に係るマージン算出方法のフローチャートである。
【図３】本発明の第１実施形態に係るマージン算出方法を説明するための概念図である。
【図４】本発明の第２実施形態に係るハンドオーバパラメータ調整装置１ａの構成を示すブロック図である。
【図５】本発明の第２実施形態に係るマージン算出方法のフローチャートである。
【図６】不要なハンドオーバを説明するための概念図である。
【図７】不要なハンドオーバを説明するための概念図である。
【発明を実施するための形態】
【００２６】
以下、図面を参照し、本発明の実施形態について説明する。
【００２７】
［第１実施形態］
図１は、本発明の第１実施形態に係るハンドオーバパラメータ調整装置１の構成を示すブロック図である。図１において、ハンドオーバパラメータ調整装置１は、Active HOマージン計算部１１と基地局内不要HO集計部１２とIdle HOマージン計算部１３とActive HOマージン集計部１４とIdle HOマージン集計部１５と不要HO情報集計部１６を有する。
【００２８】
図１に示す第１実施形態の構成例では、Active HOマージン計算部１１と基地局内不要HO集計部１２とIdle HOマージン計算部１３は、各基地局＃１〜Ｎに具備される。Active HOマージン集計部１４とIdle HOマージン集計部１５と不要HO情報集計部１６は、上位集約装置１００に具備される。上位集約装置１００は、各基地局＃１〜Ｎと通信回線を介してデータを送受する。
【００２９】
＜Active HOマージン計算部＞
Active HOマージン計算部１１には、ハンドオーバ用のMRメッセージを受信する毎に、MRメッセージに含まれるRSRP値が入力される。Active HOマージン計算部１１は、入力されたRSRP値を用いて、Active HO 時の自基地局（接続基地局s）とハンドオーバ先基地局（隣接基地局n）との間の受信電力差を算出する。この受信電力差は、Active HO マージン「AHOM(s,n)」である。
【００３０】
以下、Active HO マージン「AHOM(s,n)」の算出方法の例１〜３を説明する。
【００３１】
［Active HO マージンの算出方法の例１］
Active HOマージン計算部１１は、i回目のMRメッセージ受信時に、式（２）の反復式によって平均値「AHOM(s,n,i)」を算出する。
【００３２】
【数２】
2013153275.tif 000004
【００３３】
但し、RSRPn(s,n,i)は、自基地局（接続基地局s）とハンドオーバ先基地局（隣接基地局n）に関するi回目に受信したMRメッセージに含まれる隣接基地局nに関するRSRP値である。RSRPs(s,n,i)は、自基地局（接続基地局s）とハンドオーバ先基地局（隣接基地局n）に関するi回目に受信したMRメッセージに含まれる接続基地局sに関するRSRP値である。Ｉは、所定の反復回数である。AHOM(s,n,i)の初期値「AHOM(s,n,0)」には、任意の定数を設定する。
【００３４】
［Active HO マージンの算出方法の例２］
Active HOマージン計算部１１は、i回目のMRメッセージ受信時のActive HO「AHOM(s,n,i)」を、過去に受信した直近のP個のRSRP値を用いて式（３）によって算出する。
【００３５】
【数３】
2013153275.tif 000005
【００３６】
［Active HO マージンの算出方法の例３］
Active HOマージン計算部１１は、i回目のMRメッセージ受信時に、式（４）の反復式によって平均値「AHOM(s,n,i)」を算出する。
【００３７】
【数４】
2013153275.tif 000006
【００３８】
但し、ｗは、定数であり、0以上1未満の実数である。
【００３９】
Active HOマージン計算部１１は、i回目のMRメッセージ受信時に算出した「AHOM(s,n,i)」を用いて、出力するActive HOマージン「AHOM(s,n)」を生成する。Active HOマージン「AHOM(s,n)」の生成方法としては、以下の例１〜３が挙げられる。
（例１）ハンドオーバ用のMRメッセージの受信毎に、最新の「AHOM(s,n,i)」をActive HOマージン「AHOM(s,n)」として出力する。
（例２）一定時間毎に、最新の「AHOM(s,n,i)」をActive HOマージン「AHOM(s,n)」として出力する。
（例３）「AHOM(s,n,i)」を一定の回数だけ更新する毎に、最新の「AHOM(s,n,i)」をActive HOマージン「AHOM(s,n)」として出力する。
【００４０】
Active HOマージン計算部１１から出力されたActive HOマージン「AHOM(s,n)」は、Idle HOマージン計算部１３およびActive HOマージン集計部１４へ入力される。
【００４１】
＜基地局内不要HO集計部＞
基地局内不要HO集計部１２には、ハンドオーバの完了毎に、自基地局（接続基地局s）から隣接基地局nへActive HOを行った端末（Active HO端末）のセル内滞在時間情報およびセル履歴情報が入力される。基地局内不要HO集計部１２は、入力されたセル内滞在時間情報およびセル履歴情報を用いて、不要HO情報を生成する。
【００４２】
セル内滞在時間情報は、接続基地局sから隣接基地局nへActive HOを行ったActive HO端末が通信状態で接続基地局sに滞在していた時間を示す。セル履歴情報は、そのActive HO端末が無通信状態から通信状態へ遷移した後に接続したセルの履歴である。不要HO情報は、Active HOの発生回数うち、端末が無通信状態から通信状態へ遷移した直後に行ったActive HOの発生回数の度合いを表す。
【００４３】
以下、不要HO情報の生成方法（ステップＳ１〜３）を説明する。
【００４４】
（ステップＳ１）
基地局内不要HO集計部１２は、入力されたActive HO端末のセル内滞在時間情報およびセル履歴情報を用いて、セル履歴情報に含まれるセルの個数が１である場合にのみ、該セル内滞在時間情報を隣接基地局n毎に区別して記録する。なお、本ステップＳ１は、Active HO端末のセル内滞在時間情報およびセル履歴情報が入力される毎に実施してもよく、又は、一定周期ごとにまとめて実施してもよく、又は、ハンドオーバが一定回数だけ発生するごとにまとめて実施してもよい。
【００４５】
（ステップＳ２）
基地局内不要HO集計部１２は、隣接基地局n毎に記録されているセル内滞在時間情報を用いて、「Ninefficient(s,n)」を計算する。Ninefficient(s,n)は、自基地局（接続基地局s）から隣接基地局nへActive HOを行ったActive HO端末が通信状態で接続基地局sに滞在していた時間が所定の閾値未満である、セル内滞在時間情報の個数である。
【００４６】
（ステップＳ３）
基地局内不要HO集計部１２は、不要なハンドオーバの度合いを示す情報「Rinefficient(s,n)」を式（５）によって算出する。
【００４７】
【数５】
2013153275.tif 000007
【００４８】
但し、NMR(s,n)は、隣接基地局n毎に記録されているセル内滞在時間情報のうち、隣接基地局nのセル内滞在時間情報の個数である。
【００４９】
なお、Rinefficient(s,n)は、NMR(s,n)が所定のＩ個以上である隣接基地局nについてのみ、算出する。そして、NMR(s,n)がＩ個未満である隣接基地局nについては、Rinefficient(s,n)を0とするか、又は、前回の算出値を用いる。
【００５０】
基地局内不要HO集計部１２は、不要HO情報「Rinefficient(s,n)」を出力する。基地局内不要HO集計部１２から出力された不要HO情報「Rinefficient(s,n)」は、Idle HOマージン計算部１３および不要HO情報集計部１６へ入力される。
【００５１】
＜Idle HOマージン計算部１３＞
Idle HOマージン計算部１３には、自基地局のActive HOマージン「AHOM(s,n)」と、隣接基地局のActive HOマージン「AHOM(n,s)」と、自基地局の不要HO情報「Rinefficient(s,n)」と、隣接基地局の不要HO情報「Rinefficient(n,s)」とが入力される。隣接基地局のActive HOマージン「AHOM(n,s)」は、隣接基地局nから自基地局（接続基地局s）へのハンドオーバに関するActive HOマージンである。隣接基地局のActive HOマージン「AHOM(n,s)」は、Active HOマージン集計部１４から出力される。隣接基地局の不要HO情報「Rinefficient(n,s)」は、隣接基地局nから自基地局（接続基地局s）へのハンドオーバに関する、Active HOの発生回数うち、端末が無通信状態から通信状態へ遷移した直後に行ったActive HOの発生回数の度合いを表す。隣接基地局の不要HO情報「Rinefficient(n,s)」は、不要HO情報集計部１６から出力される。
【００５２】
Idle HOマージン計算部１３は、それらの入力情報を用いて、隣接基地局n毎に、自基地局sのIdle HOマージン「IHOM(s,n)」を算出する。
【００５３】
以下、図２を参照して、Idle HOマージンの算出方法を説明する。図２は、本実施形態に係るマージン算出方法のフローチャートである。図２の処理は、一定の周期で実施してもよく、又は、いずれかの隣接基地局nに対する自基地局sの不要HO情報「Rinefficient(s,n)」が所定の閾値以上増加した場合に実施してもよい。
【００５４】
（ステップＳ１０１）
Idle HOマージン計算部１３は、自基地局の不要HO情報「Rinefficient(s,n)」を用いて、各基地局nに対する基地局sの不要HO情報「Rinefficient(s,n)」の総和「Ntotal(s)」を算出する。同様に、Idle HOマージン計算部１３は、隣接基地局の不要HO情報「Rinefficient(n,s)」を用いて、各基地局sに対する基地局nの不要HO情報「Rinefficient(s,n)」の総和「Ntotal(n)」を算出する。次いで、Idle HOマージン計算部１３は、それら算出した「Ntotal(s)」及び「Ntotal(n)」のうち、値が大きい基地局に順番を付与する。
【００５５】
（ステップＳ１０２）
Idle HOマージン計算部１３は、ステップＳ１０１で付与した基地局の順番で、ステップＳ１０２〜Ｓ１１５の処理を行う。以下、ステップＳ１０２〜Ｓ１１５の処理の対象となる基地局を「基地局s」と記す。
【００５６】
（ステップＳ１０３）
Idle HOマージン計算部１３は、基地局sの隣接基地局n毎に順次、ステップＳ１０３〜Ｓ１１３の処理を行う。以下、ステップＳ１０３〜Ｓ１１３の処理の対象となる隣接基地局を「隣接基地局n」と記す。
【００５７】
（ステップＳ１０４）
Idle HOマージン計算部１３は、自基地局の不要HO情報「Rinefficient(s,n)」が所定の閾値以上であるかを判定する（判定Ａ）。この結果、所定の閾値以上である場合にはステップＳ１０５に進み、そうではない場合にはステップＳ１１０に進む。
【００５８】
（ステップＳ１０５）
Idle HOマージン計算部１３は、基地局sと隣接基地局nのセルペア(s,n)に対して既にIdle HOマージンを調整済みであるかを調べる。この結果、調整済みである場合にはステップＳ１１３に進み、そうではない場合にはステップＳ１０６に進む。
【００５９】
（ステップＳ１０６）
Idle HOマージン計算部１３は、次の判定式を判定する。
「AHOM(n,s)＋IHOM(s,n)≧0」且つ「AHOM(s,n)−IHOM(s,n)≧0」
この結果、判定式が成立する場合にはステップＳ１０７に進み、不成立の場合にはステップＳ１１２に進む。本ステップＳ１０６の判定式の関係が図３に例示されている。図３において制約条件１が「AHOM(s,n)−IHOM(s,n)≧0」に対応し、制約条件２が「AHOM(n,s)＋IHOM(s,n)≧0」に対応する。
【００６０】
（ステップＳ１０７）
Idle HOマージン計算部１３は、Idle HOマージン「IHOM(s,n)」を所定値だけ減少させる。この後、ステップＳ１０８へ進む。
【００６１】
（ステップＳ１０８）
Idle HOマージン計算部１３は、次の判定式を判定する。
「AHOM(n,s)＋IHOM(s,n)＞0」且つ「AHOM(s,n)−IHOM(s,n)＞0」
この結果、判定式が成立する場合にはステップＳ１１３に進み、不成立の場合にはステップＳ１０９に進む。
【００６２】
（ステップＳ１０９）
Idle HOマージン計算部１３は、Idle HOマージン「IHOM(s,n)」の調整を取り消す。この後、ステップＳ１１３へ進む。
【００６３】
（ステップＳ１１０）
Idle HOマージン計算部１３は、当該セルペア(s,n)に関して、ステップＳ１０４の判定Ａが過去連続して所定のＧ回不成立であるかを調べる。この結果、Ｇ回不成立である場合にはステップＳ１１１に進み、そうではない場合にはステップＳ１１３に進む。
【００６４】
（ステップＳ１１１）
Idle HOマージン計算部１３は、Idle HOマージン「IHOM(s,n)」を所定値だけ増加させる。この後、ステップＳ１０８へ進む。
【００６５】
（ステップＳ１１２）
Idle HOマージン計算部１３は、次の判定式を満たすように、Idle HOマージン「IHOM(s,n)」を設定する。この後、ステップＳ１１３へ進む。
「AHOM(n,s)＋IHOM(s,n)≧0」且つ「AHOM(s,n)−IHOM(s,n)≧0」
【００６６】
（ステップＳ１１３）
Idle HOマージン計算部１３は、基地局sに関して全ての隣接基地局を処理したかを調べる。この結果、全ての隣接基地局を処理した場合にはステップＳ１１４に進み、そうではない場合には、ステップＳ１０３に戻り、処理対象の隣接基地局を変更する。
【００６７】
（ステップＳ１１４）
Idle HOマージン計算部１３は、基地局sに関して更新したIdle HOマージン「IHOM(s,n)」を出力する。Idle HOマージン計算部１３から出力されたIdle HOマージン「IHOM(s,n)」は、Idle HOマージン集計部１５および自基地局内のパラメータ設定部３０へ入力される。パラメータ設定部３０は、入力されたIdle HOマージン「IHOM(s,n)」を端末へ通知する。
【００６８】
（ステップＳ１１５）
Idle HOマージン集計部１５は、全ての基地局を処理したかを調べる。この結果、全ての基地局を処理した場合には図２の処理を終了し、そうではない場合には、ステップＳ１０２に戻り、処理対象の基地局を変更する。
【００６９】
＜Active HOマージン集計部＞
Active HOマージン集計部１４には、各基地局＃１〜ＮからActive HOマージン「AHOM(s,n)」が入力される。Active HOマージン集計部１４は、全ての隣接基地局ペア(s,n)についての最新のActive HOマージン「AHOM(s,n)」を保持する。Active HOマージン集計部１４は、各基地局sに対して、基地局sの隣接基地局nから基地局sへのハンドオーバに関する最新のActive HOマージン「AHOM(n,s)」を通知する。
【００７０】
＜Idle HOマージン集計部＞
Idle HOマージン集計部１５には、各基地局＃１〜ＮからIdle HOマージン「IHOM(s,n)」が入力される。Idle HOマージン集計部１５は、全ての隣接基地局ペア(s,n)についての最新のIdle HOマージン「IHOM(s,n)」を保持する。Idle HOマージン集計部１５は、各基地局sに対して、基地局sの隣接基地局nから基地局sへのハンドオーバに関する最新のIdle HOマージン「IHOM(n,s)」を通知する。
【００７１】
＜不要HO情報集計部＞
不要HO情報集計部１６には、各基地局＃１〜Ｎから不要HO情報「Rinefficient(s,n)」が入力される。不要HO情報集計部１６は、全ての隣接基地局ペア(s,n)についての最新の不要HO情報「Rinefficient(s,n)」を保持する。不要HO情報集計部１６は、各基地局sに対して、基地局sの隣接基地局nから基地局sへのハンドオーバに関する最新の不要HO情報「Rinefficient(n,s)」を通知する。
【００７２】
［第２実施形態］
第２実施形態は、上述した第１実施形態の変形例である。第２実施形態では、Active HO用のMRメッセージとしてA3 MRを用いる。A3 MRの送信条件式は式（６）で表される。
【００７３】
【数６】
2013153275.tif 000008
【００７４】
A3 MRを契機としてActive HOを実施する場合には、Active HOマージン「AHOM(s,n)」を基地局で制御することができる。これにより、Active HOマージンの計算を簡略化することができる。
【００７５】
図４は、本発明の第２実施形態に係るハンドオーバパラメータ調整装置１ａの構成を示すブロック図である。図４において図１の各部に対応する部分には同一の符号を付け、その説明を省略する。
【００７６】
＜Active HOマージン保持部＞
Active HOマージン保持部２０は、自基地局sのActive HOマージン「AHOM(s,n)」を保持する。Active HOマージン「AHOM(s,n)」は、マージン計算部２１によって更新される。Active HOマージン保持部２０は、一定の周期でActive HOマージン「AHOM(s,n)」を出力してもよく、又は、自基地局に設定されているActive HOマージン「AHOM(s,n)」が変更された時にActive HOマージン「AHOM(s,n)」を出力してもよい。Active HOマージン保持部２０から出力されたActive HOマージン「AHOM(s,n)」は、Idle HOマージン計算部１３およびActive HOマージン集計部１４へ入力される。
【００７７】
＜マージン計算部＞
マージン計算部２１は、隣接基地局n毎に、自基地局sのIdle HOマージン「IHOM(s,n)」及びActive HOマージン「AHOM(s,n)」を算出する。図５に、第２実施形態に係るマージン算出方法のフローチャートを示す。図５において、図２に示す第１実施形態に係るマージン算出方法に対応する各ステップには同一の符号を付け、その説明を省略する。
【００７８】
図５において、ステップＳ１０６の判定式を判定した結果、成立する場合にはステップＳ１０７ａに進む。このステップＳ１０７ａにおいて、マージン計算部２１は、Idle HOマージン「IHOM(s,n)」を所定値だけ減少させ、且つ、Active HOマージン「AHOM(s,n)」を所定値だけ増加させる。
【００７９】
又、ステップＳ１１０の結果、Ｇ回不成立である場合にはステップＳ１１１ａに進む。このステップＳ１１１ａにおいて、マージン計算部２１は、Idle HOマージン「IHOM(s,n)」を所定値だけ増加させ、且つ、Active HOマージン「AHOM(s,n)」を所定値だけ減少させる。
【００８０】
マージン計算部２１から出力されたIdle HOマージン「IHOM(s,n)」及びActive HOマージン「AHOM(s,n)」は、パラメータ設定部３０によって端末へ通知される。
【００８１】
以上、本発明の実施形態について図面を参照して詳述してきたが、具体的な構成はこの実施形態に限られるものではなく、本発明の要旨を逸脱しない範囲の設計変更等も含まれる。
【００８２】
例えば、上述した実施形態では、上位集約装置１００にActive HOマージン集計部１４、Idle HOマージン集計部１５及び不要HO情報集計部１６を設けて各基地局の情報を交換させるようにしたが、各基地局間で直接的に情報を交換するようにしてもよい。
【００８３】
また、図１、図４に示すハンドオーバパラメータ調整装置１、１ａの機能を実現するためのプログラムをコンピュータ読み取り可能な記録媒体に記録して、この記録媒体に記録されたプログラムをコンピュータシステムに読み込ませ、実行することにより、ハンドオーバパラメータ調整処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８５】
１，１ａ…ハンドオーバパラメータ調整装置、１１…Active HOマージン計算部、１２…基地局内不要HO集計部、１３…Idle HOマージン計算部、１４…Active HOマージン集計部、１５…Idle HOマージン集計部、１６…不要HO情報集計部、２０…Active HOマージン保持部、２１…マージン計算部
【図１】
2013153275.tif 000009
【図２】
2013153275.tif 000010
【図３】
2013153275.tif 000011
【図４】
2013153275.tif 000012
【図５】
2013153275.tif 000013
【図６】
2013153275.tif 000014
【図７】
2013153275.tif 000015